(57)【要約】【課題】２つの包装体を互いに分離可能に接合し、かつ保管や使用のため分離して小分けできるようにする。【解決手段】立方体状の包装体１０の上面パネル１０ｄ及び底面パネル１０ｅに所定長さの延長パネル１２ａ、１０ｂを設け、前記包装体１０を二つ並べて配置した状態において、それぞれの包装体１０の前記延長パネル１２ａ、１２ｂをその先端縁から所定幅で接合すると共に、前記延長パネル１２ａ、１２ｂの前記接合部分以外の部分に、前記延長パネルを切断するための切断線１６ａ、１６ｂを形成した。【選択図】    図２
2007022636.tif 000002
【特許請求の範囲】
【請求項１】
底面パネルと、上面パネルと、前記底面パネル及び上面パネルの一端に連続した前面パネルと、該前面パネルに対向する後面パネルと、前記前面パネル及び後面パネルにそれぞれ連続した側面パネルを備え、前記上面パネル及び底面パネルに所定長さの延長パネルを備えた包装体からなり、前記包装体を並べて配置した状態において、それぞれの包装体の前記延長パネルをその先端縁から所定幅で接合すると共に、前記延長パネルの前記接合部分以外の部分に、前記延長パネルを切断するための切断線を形成したことを特徴とする包装組立体。
【請求項２】
請求項１に記載された包装組立体において、
前記延長パネルの縦壁の接合部分に取手用切欠を設けたことを特徴とする包装組立体。
【請求項３】
請求項１又は２に記載された包装組立体において、
前記前面パネル、側面パネルのいずれかに物品取出し口を形成する切断線を備えていることを特徴とする包装組立体。
【請求項４】
請求項１又は２に記載された包装組立体において、
前記前面及び側面パネルには、前記包装体を二つの物品収納部に分離する切断線を設け、かつ、前記切断線を切断して前記後面パネルの周りで前記各物品収納部に展開可能としたことを特徴とする包組立装体。
【発明の詳細な説明】
【技術分野】
【０００１】
本発明は、圧縮して束ねた物品を収納する包装体を対にして接合した包装組立体に関するものである。
【背景技術】
【０００２】
圧縮可能な物品、例えば、使い捨ておむつ、生理用パッド、失禁ブリーフなどの吸収性物品等は一般に複数個をまとめて一つの包装体内に収容した状態で出荷され販売されている。
ところで、これらの製品は肌に直接当たる等の理由から柔軟に形成されており、従って圧縮可能であるが実際には圧縮されていないか、若しくは弱圧状態で複数枚まとめて包装または収容されていた。そのため、倉庫に保管する場合だけではなく、運送、販売や家庭で使用する場合でもスペースを要し、コストが掛るだけではなく取り扱いが不便であった。
【０００３】
そこで、これらの使い捨ておむつ、生理用パッド、失禁用ブリーフなどの比較的柔軟な物品を圧縮して多数収容する可撓性の袋が提案されている。
この可撓性の袋は、上面パネル、底面パネル、前面パネル、前面パネルと対向した後面パネル、前面パネル及び後面パネルに側端で連続する側面パネルとからなり、複数の物品をその厚さを圧縮して充填し、その圧縮力を前方及び側方パネルで支える六面体（直方体または立方体状）状をなし、前面パネルにはミシン目を設けて、このミシン目を切り開いて収容した物品の取出口を形成するようになっている。
この構成において、ミシン目を切り開くと、内蔵された圧縮物品の圧縮が一部解放され、物品が扇を開くようにその上半部が前記取出口から飛び出す仕掛けになっており、使用時には、このように飛び出した物品を一枚ずつ取り出して使用する（特許文献１）。
【０００４】
この従来の可撓性の袋を用いると、物品を圧縮して収容できるから圧縮しないで収容する場合に比してより多くの物品をしかも省スペースで収納できるなどのメリットがある。
しかしながら、この構成では、一つの包装体により多くの物品が収容されるため開封後にその全量を消費するまでに時間がかかり、その間に埃などの付着により汚れる虞がある。そこで、従来は包装体の物品の汚れを防止するために蓋を設けているが、包装体に追加部品を必要し、そのため包装体の製造工程の工数も増加しコストが掛かるという問題がある。また、購入者が家庭で保管する場合、その包装体の大きさに見合ったスペースの確保が困難な場合があり不便である。
他方、包装体の容量を小さくして収容する物品の数を減らすことも考えられるが、そうすると収納物品数に比して包装体の数が増大し運搬等の取扱が不利になるという問題がある。
【特許文献１】特許第３００９４０６号公報
【発明の開示】
【発明が解決しようとする課題】
【０００５】
本発明は、従来の物品収納用可撓性袋の前記問題に鑑みてなされたものであって、その目的は、使い捨ておむつなどの物品を収納する包装体を運搬時にはまとめて扱うことができると共に、購入者が保管する場合には小分けして個々の包装体を小さなスペースに保管できるようにし、更に、開封後は物品を速やかに使い切ることができるようにして、物品の汚れを最小限に防止することである。
【課題を解決するための手段】
【０００６】
本発明は、包装組立体であって、底面パネルと、上面パネルと、前記底面パネル及び上面パネルの一端に連続した前面パネルと、該前面パネルに対向する後面パネルと、前記前面パネル及び後面パネルにそれぞれ連続した側面パネルを備え、前記上面パネル及び底面パネルに所定長さの延長パネルを備えた包装体からなり、前記包装体を並べて配置した状態において、それぞれの包装体の前記延長パネルをその先端縁から所定幅で接合すると共に、前記延長パネルの前記接合部分以外の部分に、前記延長パネルを切断するための切断線を形成したことを特徴とする。
（作用）
複数の物品を収納した包装体を対にして接合しておくことで、搬送する場合の取扱を容易にすると共に、購入後の保管や使用時には個々の包装体に小分けできる。
【発明の効果】
【０００７】
本発明によれば、２個の包装体を接合して一体としてあるため、搬送時には２個の包装体を一体に取り扱うことができ、かつ購入者が保管する場合は、必要に応じて２個の包装体に切り離して小分けして保管又は使用することができる。従って、狭い場所に収納することができると共に、開封後に早期に使い切ることができるため、従来のように、開封後の包装体に蓋を設ける等の手段を施すことなく、コストを掛けずに開封後の収納物品の衛生状態を保つことができる。
【発明を実施するための最良の形態】
【０００８】
本発明の実施形態に係る包装組立体を図面を参照して説明する。
図１は、本実施形態に係る包装組立体１を構成する２個の包装体１０を並べた状態を示す斜視図である。
包装体１０は、例えば、紙、ポリエチレンシートなどの可撓性材料から成り、前面パネル１０ａと、前面パネル１０ａに対向する後面パネル１０ｂと、前面パネル１０ａと後面パネル１０ｂと間でこれと一体に形成され、全体として筒状の容器又は袋を形成する左右の側面パネル１０ｃと、前面パネル１０ａ、後面パネル１０ｂ及び側面パネル１０ｃの上縁及び下縁から一体に折り曲げ形成された上面パネル１０ｄ、及び底面パネル１０ｅとからなる略六面体（直方体又は立方体）状を成している。
【０００９】
包装体１０の上面及び底面パネル１０ｄ、１０ｅには、図１に示すように、その左右の側面パネル１０ｃと一体に形成された上面パネル１０ｄをそれぞれ延長して例えば接着剤やヒートシールなどの適当な接合手段で接合して形成した延長パネル１２ａが、図示のように前面パネル１０ａ側から後面パネル１０ｂ側まで、所定の幅又は高さで上方に突出して形成されている。また、底面パネル１０ｅにも、上面パネル１０ｄと同様に形成された延長パネル１２ｂが、底面パネル１０ｅから下方に突出して、つまり前記延長パネル１２ａと逆方向に突出して形成されている。
ここで、前記上部の延長パネル１２ａの前記所定の幅は前記底部の延長パネル１２ｂのそれよりも大きく、その先端縁近傍には取手となる切欠部１４が形成されている。
【００１０】
図２は、図１に示す包装体１０から構成した本発明の包装組立体の１実施形態を示す斜視図である。
包装組立体１は、２個の包装体１０を、図１に示すように並べた状態で、それぞれの上面パネル１０ｄ及び底面パネル１０ｅそれぞれに形成された延長パネル１２ａ，１２ｂを互いに相手側に折り曲げて、その先端部近傍に形成された取手用切欠部分１４を合わせた状態で所定幅に折り曲げかつその折り曲げ部を接着剤或いはヒートシール等により接合されている。
【００１１】
前記延長パネル１２ａ、１２ｂ同士の接合部分１２１ａ、１２１ｂ以外の部分には図示のように、延長パネル１２ａ、１２ｂと上面パネル１０ｄ、底面パネル１０ｅとの接合部と前記接合部分１２１ａ、１２１ｂとの略中間位置に、その延長パネル１２ａ、１２ｂの前面パネル１０ａ側から後面パネル１０ｂ側まで延びた例えばミシン目からなる切断線１６ａ、１６ｂが形成されている。
【００１２】
この切断線１６ａ、１６ｂは、それぞれ包装組立体１から左右の包装体１０を切り離すためのものであり、ミシン目以外にその部分のみ他の部分より薄く形成して切り易くしたものでもよく、また、切断線１６ａ，１６ｂの位置は、前記中間位置に限らず、上面パネル１０ｄ、底面パネル１０ｅとの接合部と前記接合部分１２１ａ、１２１ｂの間の位置であれば任意である。
【００１３】
包装組立体１は、以上の構成から成るから、購入者は、保管時或いは使用時に必要に応じて前記切断線１６ａ、１６ｂに沿って延長パネル１２ａ、１２ｂを切断することで、二つの包装体１０に分離することができる。
【００１４】
次に、以上で説明した包装体１０の実施形態について説明する。
図３に示すように、包装体１０には、例えば上下２段に使い捨ておむつ２０が収納されている。また、その前面パネル１０ａには、使い捨ておむつ２０を取り出すための取出口３０を形成するためのミシン目１５が形成されており、前面パネル１０ａを前記ミシン目１５に沿って引き裂くことで取出口となる開口３０が出現する。この取出口３０の大きさ（面積）は前記前面パネル１０ｃの面積の６０％以上となるようミシン目１５が設定されている。比較的柔軟な使い捨ておむつ２０を包装体１０から取り出す場合は、使い捨ておむつ２０を折り畳んだ状態の側面の６０％以上の開口面積があると取出しを容易に行うことができ、好ましくは８０％以上あればよい。
【００１５】
取出口３０を形成するときは、まず、最初に上段に収納された使い捨ておむつ３０を取り出すために前面パネル１０ａのミシン目１５を引き裂き、次に、上段の使い捨ておむつ２０を出し終わったところで、前記ミシン目１５を下段の使い捨ておむつ２０のところまで前記ミシン目１５を切断又は引き裂く。
【００１６】
なお、本実施形態では、前記ミシン目１５は上面パネル１０ｄには達しておらず、前記取出口３０は前記側面パネルの領域内に限定されているが、必要に応じて上面パネル１０ｄの領域まで延在させて、上面パネル１０ｄの一部を含めた取出口を形成することもできる。
【００１７】
図４は前記取出口３０の別の形状を示す。
この実施形態においては、取出口３０は上下２段に収納された使い捨ておむつ３０の位置に合わせて前記正面パネル１０ａに上下に２箇所別々に設けられている。取出口３０の形状は任意であるが、ここでは湾曲した上部と矩形の下部とからなる形状であり、その上端部は上面パネル１０ｄにまで達していない。
このような取出口３０の形状にすると使い捨ておむつの上部が取出口３０から露出することがないため、第１の実施形態のものよりも取り出し難いが、上段の使い捨ておむつ２０の取出口３０を誤って大きく明けすぎるようなことはない。
【００１８】
次に、包装体１０の第３の実施形態について説明する。
図５は、第３の実施形態に係る包装体を示し、図５Ａはその包装状態を、また図５Ｂは開封・展開した状態を示す斜視図である。
この実施形態に係る包装体１０では、使い捨ておむつを上下２段に収容し、かつ切断線１５となるミシン目は、図５Ａに示すように、前面パネル１０ａとその左右の側面パネル１０ｃの上下中央部を通り連続して設けられている。前面パネル１０ａの反対側、従って、図では左側になる裏面パネル１０ｂを残して前記各パネルをミシン目１５に沿って切断又は引き裂き、裏面パネル１０ｂの部分で折り返して開封展開することにより、包装体１０を、それぞれ使い捨ておむつを一段づつ収容し、かつ折り返した裏面パネル１０ｂで横に繋がった２つの容器１０Ｘ、１０Ｙに変更することができる。
【００１９】
図６は、第４実施形態に係る包装体を示し、図６Ａはその包装状態の、また図６Ｂは開封・展開した状態を示す斜視図である。
この実施形態では、切断線となるミシン目１５は、図６Ａに示すように、前面パネル１０ａとその左右の側面パネル１０ｃを所定の間隔ｔで帯状に切り取り可能に設けられており、前面パネル１０ａの反対側、従って、図では左側になる裏面パネル１０ｂを残して切取線に沿って引き裂き、かつ図６Ｂに示すように、裏面パネル１０ｂの部分で折り返して前記包装体１０を開封展開することにより、包装体１０を、それぞれ使い捨ておむつを一段づつ収容して裏面パネル１０ｂで横に繋がった２つの容器１０Ｘ、１０Ｙに変更することができる。本実施形態では、とくに前記裏面パネル１０ｂの前記切り残した部分を細長い矩形状部分１５ｂとして残し、この部分に例えば、スリットを形成するか或いは切断線を形成してその切断線に沿って切り抜くことにより、取手１５ｃを形成することができ、これにより開封・展開状態における包装体１０の移動が容易になる。
【００２０】
図７は、包装体の第５の実施形態に係る包装体１０の斜視図である。この実施形態では、切断線となるミシン目１５ａはパネルを単に切断する部分１５ａ（１）と帯状にパネルを切り取るように所定間隔を隔てて配置された部分１５ａ（２）とからなっている。
このように、パネルの切断時に帯状パネルの一部を所定幅で切り取るようにすることで、単に切断線のみを設けた場合に比して開封がし易くなる。
なお、前記包装袋開封用の切断線も、ミシン目以外にその部分のみ他の部分より薄く形成して切断し易くしたものでもよい。
【００２１】
以上の説明では、物品を使い捨ておむつに例を採って説明したが、圧縮可能な物品であればこれに限らず、例えば、生理用パッドその他の柔軟な伸縮性物品でもよいことは勿論である。
また、前記切断線は、細巾ｄを隔てて平行に形成し、切り取りを容易にするために一部切れ目を入れて細巾部の一部を引き手に形成しておくこともできる。また、ティアテープを切断すべきパネルの周りに貼り付けておき、そのティアテープを引き剥がし包装体のパネルを切断することもできる。
【図面の簡単な説明】
【００２２】
【図１】本発明の包装組立体を構成する包装体を示す斜視図である。
【図２】包装組立体を示し、図２Ａは斜め上方からみた斜視図、図２Ｂは斜め下方からみた斜視図である。
【図３】包装体の第１の実施形態を示す斜視図である。
【図４】包装体の第２の実施形態を示す斜視図である。
【図５】包装体の第３の実施形態を示す斜視図である。図５Ａはその斜視図、図５Ｂは切断線に沿って切断（開封）した後の展開状態を示す図である。
【図６】包装体の第４の実施形態を示し、図６Ａはその斜視図、図６Ｂは切断線に沿って切断（開封）した後の展開状態を示す図である。
【図７】包装体の第５の実施形態を示す斜視図である。
【符号の説明】
【００２３】
１・・・包装組立体、１０・・・包装体、１０ａ・・・前面パネル、１０ｂ・・・後面パネル、１０ｃ・・・側面パネル、１０ｄ・・・上面パネル、１０ｅ・・・底面パネル、１２ａ、１２ｂ・・・延長パネル、１４・・・取手用切欠、１５・・・切断線（ミシン目）、２０・・・物品（使い捨ておむつ）、３０・・・取出口。
【図１】
2007022636.tif 000003
【図２】
2007022636.tif 000004
【図３】
2007022636.tif 000005
【図４】
2007022636.tif 000006
【図５】
2007022636.tif 000007
【図６】
2007022636.tif 000008
【図７】
2007022636.tif 000009